(57)【要約】【課題】梱包材で、被梱包物の寸法が多少異なっていても共通に使用可能で、かつリユースが可能な梱包材が望まれている。本発明は包装材の共通化を図ると共に、繰り返しリユースが可能な環境に優しく、またはコンパクトな包装装置を提供することにある。【解決手段】外箱と被梱包物との間に挿入され、複数個に分割された緩衝体により該被梱包物を緩衝保持した包装装置において、複数個の該緩衝体の全部または一部を、該被梱包物の大きさに応じた寸法に設定した連結部材で連結するか、または、該被梱包物と該緩衝体との間に生じた空間に1個または複数個の充填部材を挿入する。【選択図】図４
2006069660.tif 000002
【特許請求の範囲】
【請求項１】
外箱と被梱包物との間に挿入され、複数個に分割された緩衝体により該被梱包物を緩衝保持した包装装置において、複数個の該緩衝体の全部または一部を、該被梱包物の大きさに応じた寸法に設定した連結部材で連結したことを特徴とする梱包装置。
【請求項２】
外箱と被梱包物との間に挿入され、複数個に分割された緩衝体により該被梱包物を緩衝保持した包装装置において、該被梱包物と該緩衝体との間に生じた空間に1個または複数個の充填部材を挿入したことを特徴とする請求項１記載の梱包装置。
【請求項３】
前記連結部材の少なくとも１個は、棒状の付属部品を梱包した内箱であって、該内箱を少なくとも連結部材の一つに転用したことを特徴とする請求項１〜請求項２に記載の梱包装置。
【発明の詳細な説明】
【技術分野】
【０００１】
本発明は、複写機等のＯＡ機器や電気製品で緩衝材を用いた梱包装置に関するものである。
【背景技術】
【０００２】
従来例を、図面を使って説明する。図１に示したように、開梱作業時に付属包装物が落下しないように、複数の緩衝体１６をベース１５のコーナー部ｓとを重ね合わせ連結手段１７で両者を連結した発明がある(特許文献１)。一方図２に示したように、包装材のリサイクルを目的とし、受け台５に被梱包物である原稿搬送装置および圧板３を載置した発明がある（特許文献２）。
【０００３】
【特許文献１】特開平２００２−１４５３３８公報
【特許文献２】特開平２００１−２２５８８８公報
【発明の開示】
【発明が解決しようとする課題】
【０００４】
しかしながら、従来の方法では、締結手段１７を用いた場合、十分な強度を有する包装が得にくいことや、強度を稼ごうとすると該当する部分の緩衝材の厚みが厚くなることが考えられ、コストアップにつながる。また、緩衝体に嵌め込み用凸部を設けた場合、十分な強度が得られず開梱時にこの凸部破損が生じ易く、リユースは困難となる問題があった。これまでは、製品の仕様毎に寸法の異なる緩衝材や梱包箱を準備していた。今後製品のシリーズ化や共通化が進む中で、包装部品の共通化が課題となっている。梱包材で寸法が多少異なっていても共通に使用可能で、かつリユースが可能な梱包材が望まれている。本発明は包装材の共通化を図ると共に、繰り返しリユースが可能な環境に優しく、またはコンパクトな包装装置を提供することにある。
【課題を解決するための手段】
【０００５】
請求項１の発明は、外箱と被梱包物との間に挿入され、複数個に分割された緩衝体により該被梱包物を緩衝保持した包装装置において、複数個の該緩衝体の全部または一部を、該被梱包物の大きさに応じた寸法に設定した連結部材で連結したことを特徴とする。
請求項２の発明は、外箱と被梱包物との間に挿入され、複数個に分割された緩衝体により該被梱包物を緩衝保持した包装装置において、該被梱包物と該緩衝体との間に生じた空間に1個または複数個の充填部材を挿入したことを特徴とする。
請求項３の発明は、前記連結部材の少なくとも１個は、棒状の付属部品を梱包した内箱であって、該内箱を少なくとも連結部材の一つに転用したことを特徴とする。
【発明の効果】
【０００６】
請求項１の発明、即ち外箱と被梱包物との間に挿入され、複数個に分割された緩衝体により該被梱包物を緩衝保持した包装装置において、複数個の該緩衝体の全部または一部を、該被梱包物の大きさに応じた寸法に設定した連結部材で連結することで、機種が異なっても、緩衝体の共通化が図れる。また緩衝体のリユースも機種別に緩衝体を分別する必要がなく、長さの異なる連結部材を長さ別に分別すればよく、包装材のコスト低減も可能となる。
請求項２の発明は、外箱と被梱包物との間に挿入され、複数個に分割された緩衝体により該被梱包物を緩衝保持した包装装置において、該被梱包物と該緩衝体との間に生じた空間に1個または複数個の充填部材を挿入したことにより、被梱包物の形状が変わっても緩衝体をそのまま使えるので、繰り返しリユースすることが可能となる。
請求項３の発明は、前記連結部材の少なくとも１個は、棒状の付属部品を梱包した内箱であって、該内箱を少なくとも連結部材の一つに転用することで、コンパクトな梱包装置を提供できる。
【実施例１】
【０００７】
以下、図面を参照して本発明の実施例について説明する。図４〜図１０は本発明に係る梱包装置を示している。図４のように、パレット９００の上に、四方に壁を有する矩形のボトムシート８００を載置し、該ボトムシート８００と被梱包物２００の間に挿入された１対の下部緩衝体３１０ａ、３１０ｂと、該被梱包物２００と外箱１００の間に挿入された１対の上部緩衝体３００ａ、３００ｂからなり、該上部緩衝体３００は左右または前後に２分割（３００ａ、３００ｂ）されている。１対の該上部緩衝体３００ａ、３００ｂは、１対の該連結部材４００によって連結され、該連結部材４００は、機種による寸法が異なっても適合する寸法のものを準備した。機種による被梱包物２００の大きさが変わっても、適合する寸法の該連結部材を用いることで、同一の該上部緩衝材を用いることができた。
【実施例２】
【０００８】
図５は、上部緩衝体の連結について別の実施例を示したものである。前記被梱包物、下部緩衝体、ボトムシート、パレットは実施例１と同じである。夫々１組の上部緩衝材３１０ａ、３１０ｂ、３１０ｃ、３１０ｄを被梱包物の四隅に配置し、断面が矩形の１対の連結体４１０ａと、同じく断面が矩形の１対の連結体４１０ｂを該上部緩衝体３１０ａ、３１０ｂ、３１０ｃ、３１０ｄの上方から挿入し、該上部緩衝体３１０ａ、３１０ｂ、３１０ｃ、３１０ｄを連結した。機種による被梱包物の大きさが変わっても、適合する寸法の該連結部材を用いることで、同一の該上部緩衝材を用いることができた。云うまでもないが、被梱包物の形状によっては、連結部材が同じ長さになる場合があり、その場合１種類の連結部材２対を用い、該上部緩衝体を連結すれば良く、また、２対の該上部緩衝体の側面から夫々１対の連結部材を挿入し、該上部連結体を連結しても良い。
【実施例３】
【０００９】
図６を用い別の上部緩衝体の連結について説明する。断面形状が円形の連結部材４２０を１対と、断面形状が矩形の１対の連結部材４１０を用い、１組の緩衝体３２０ａ、３２０ｂ、３２０ｃ、３２０ｄの上方から、夫々１対の該連結部材４２０、４１０を該緩衝体３２０ａ、３２０ｂ、３２０ｃ、３２０ｄへ挿入し、該上部緩衝体を連結した。機種による被梱包物の大きさが変わっても、適合する寸法の該連結部材を用いることで、同一の該上部緩衝材を用いることができた。云うまでも無いが、該上部緩衝体の側面から、該連結部材を挿入し、該上部緩衝体を連結しても良い。
【実施例４】
【００１０】
図７を用い別の上部緩衝体の連結について説明する。両先端部が円弧状の１対の連結部材４３０を、1組の上部緩衝体３３０ａ、３３０ｂ、３３０ｃ、３３０ｄの上方から挿入し、該上部緩衝体３３０ａ、３３０ｂ、３３０ｃ、３３０ｄを連結した。機種による被梱包物の大きさが変わっても、適合する寸法の該連結部材を用いることで、同一の該上部緩衝材を用いることができた。云うまでも無いが、２対の該連結部材で該上部緩衝体３３０ａ、３３０ｂ、３３０ｃ、３３０ｄを連結しても良い。また、１組の該上部緩衝体３３０ａ、３３０ｂ、３３０ｃ、３３０ｄの側面から、１対の該連結部材を挿入し、該上部緩衝体を連結しても良いし、２対の該連結部材を挿入し、１組の該上部緩衝体３３０ａ、３３０ｂ、３３０ｃ、３３０ｄの側面から挿入し、該上部緩衝体３３０ａ、３３０ｂ、３３０ｃ、３３０ｄを連結しても良い。
【実施例５】
【００１１】
図８のように、付属品５００を収納した同梱箱５１０を、１対の上部緩衝体３４０ａ、３４０ｂの上方から挿入し、また連結部材４００を１対の該上部緩衝体３４０ａ、３４０ｂの上方から挿入し、１対の該上部連結体３４０ａ、３４０ｂを連結した。機種による被梱包物の大きさが変わっても、適合する寸法の該連結部材を用いることで、同一の該上部緩衝材を用いることができた。云うまでも無いが、該上部緩衝体の側面から該同梱箱と該連結部材を挿入し、該上部緩衝体を連結しても良し、２対の上部緩衝体を被梱包物２００の四隅に配置し、該梱包箱と該連結部材で、２対の該上部緩衝体を連結しても良い。
【実施例６】
【００１２】
図９のように、被梱包物の一つである付属品を収納した同梱箱５５０と、１対の上部緩衝体３５０ａ、３５０ｂとの間の間に生じた空間に充填する充填部材として、１対の固定ブロック７００を該上部緩衝体３５０ａ、３５０ｂと該同梱箱５５０の間に挿入し、また、該同梱箱５５０と下部緩衝体３１０の間に生じた空間には緩衝体３６０を挿入した。付属品５００を収納した同梱箱５１０を１対の該上部緩衝体３５０ａ、３５０ｂ上方から挿入すると共に、連結部材４００を該上部緩衝体３５０ａ、３５０ｂの上方から挿入し、１対の該上部緩衝体３５０ａ、３５０ｂを連結した。機種による被梱包物の大きさが変わっても、適合する寸法の該連結部材を用いることで、同一の該上部緩衝材を用いることができた。
【実施例７】
【００１３】
図１０のように、付属品を収納した同梱箱５６０を、下部緩衝体３１０ｂに、帯状部材７１０によって固定した。図１１のように帯状部材は片面ダンボールを用い、粘着テープ(図示せず)で同梱箱５６０が動かないように固定した。被梱包物２２０と外箱１３０の空間に挿入された１対の上部緩衝体３６０ａ、３６０ｂの上方から、１対の連結部材４００を挿入し、１対の該緩衝体３６０ａ、３６０ｂを連結した。機種による被梱包物の大きさが変わっても、適合する寸法の該連結部材を用いることで、同一の該上部緩衝材を用いることができた。
【図面の簡単な説明】
【００１４】
【図１】従来の梱包装置の分解斜視図である。
【図２】従来の梱包装置で用いる包装用パッドのスペースのコーナー部を示し、（ａ）は拡大部分切欠平面図を、（ｂ）は拡大部分切欠平面図である。
【図３】別の従来の梱包装置の分解斜視図である。
【図４】本発明の実施例１に関する分解斜視図である。
【図５】本発明の実施例２に関する上部緩衝体とその連結に関する斜視図である。
【図６】本発明の実施例３に関する上部緩衝体とその連結に関する斜視図である。
【図７】本発明の実施例４に関する上部緩衝体とその連結に関する斜視図である。
【図８】本発明の実施例５に関する分解斜視図である。
【図９】本発明の実施例６に関する分解斜視図である。
【図１０】本本発明の実施例７に関する分解斜視図である。
【図１１】本本発明の実施例７に関する一部分の分解斜視図である。
【符号の説明】
【００１５】
１００、１１０、１２０、１３０  外箱
２００、２１０、２２０  被梱包物
３００ａ、３００ｂ、３１０ａ、３１０ｂ、３１０ｃ、３１０ｄ、３２０ａ、３２０ｂ、３２０ｃ、３２０ｄ、３３０ａ、３３０ｂ、３３０ｃ、３３０ｄ、３４０ａ、３４０ｂ、３５０ａ、３５０ｂ、３６０ａ、３６０ｂ  上部緩衝体
３１０、３１０ａ、３１０ｂ  下部緩衝体
４００、４１０ａ、４１０ｂ、４２０、４３０  連結部材
５００  付属品
５１０、５５０、５６０  同梱箱
７００  固定ブロック
７１０  帯状部材
８００  ボトムシート
９００  パレット
【図１】
2006069660.tif 000003
【図２】
2006069660.tif 000004
【図３】
2006069660.tif 000005
【図４】
2006069660.tif 000006
【図５】
2006069660.tif 000007
【図６】
2006069660.tif 000008
【図７】
2006069660.tif 000009
【図８】
2006069660.tif 000010
【図９】
2006069660.tif 000011
【図１０】
2006069660.tif 000012
【図１１】
2006069660.tif 000013